(57)【要約】【課題】リングに設けられた隙間に他方のリングを挿入することによって双方のリングが互いに連結された状態にされる手品用リングにおいて、隙間の設けられたリングを隙間の見えない完全な環状のリング形状にし、素人でも容易にリングの連結操作を行うことができるようにした手品用リングを提供する。【解決手段】一方のリング１の一部を所定間隔で切断することによって隙間３を形成し、切断した部分を連結片５として隙間３を閉塞するように、該連結片５の空洞５ａに固着されたシリコンゴム６の延長部６ａを隙間３の一端から空洞部４に挿入して固着することにより、通常は連結片５で隙間３を閉じた状態に見せ、他方のリング２を一方のリング１の連結片５に押し込むことによって開いた隙間３に他方のリング２を挿入することにより、双方のリング１、２を連結状態にする。【選択図】図２
0003103803.tif 000002
【実用新案登録請求の範囲】
【請求項１】
一方のリングの途中に設けられた隙間に他方のリングを挿入することによって双方のリングが連結された状態となる手品用リングにおいて、一方のリングの一部を所定間隔で切断することによって隙間を形成し、前記切断した部分を連結片として前記隙間を閉塞するように、該連結片の空洞に固着されたシリコンゴムの延長部を前記隙間の一端から空洞部に挿入して固着することにより、通常は前記連結片で前記隙間を閉じた状態に見せ、前記他方のリングを前記一方のリングの連結片に押し込むことによって開いた隙間に前記他方のリングを挿入することにより、双方のリングを連結状態とするようにしたことを特徴とする手品用リング。
【請求項２】
前記シリコンゴムは、シリコンゴム製チューブであることを特徴とする請求項１記載の手品用リング。
【考案の詳細な説明】
【技術分野】
【０００１】
本考案は、一方のリングに設けられた隙間に他方のリングを挿入することによって双方のリングが互いに連結された状態となる手品用リングに関するものである。
【背景技術】
【０００２】
従来の手品用リングは、図５に示すように隙間のない完全な環状のリング１１と隙間１３を有するリング１２とを使用する。そして、図６(ａ)に示すように、一方の手の人差し指等でリング１２の隙間１３を塞いで観客側から隙間１３が見えない状態にし、他方の手に持ったリング１１を一方のリング１２の隙間１３に挿入することによって、図６(ｂ)に示すように、まるで２個の完全な環状のリングが互いに連結されたかのように見せる。
【０００３】
ところが、上記の手品を素人が行なう場合、観客側から隙間１３が見えないようにして一方のリング１１を他方のリング１２の隙間１３に挿入することは、非常に難しく、熟練を要するものであった。
【０００４】
また、従来のリングは、観客に見せるとき、常に、一方のリング１２の隙間１３を指で塞いでおく必要があるため、そのような操作は困難であるうえ、下手をすると観客に見破られてしまうという欠点があった。
【０００５】
ところで、手品用リングの従来技術を調査した結果、適当なものは見出し得なかったのであるが、リング形状をした手品具としては下記の特許文献１に挙げるものがあった。
【０００６】
ところが、この文献に記載されている手品具は、単独のリング形状に関するものであり、本考案のように２個のリングを互いに連結するようにしたものではない。
【特許文献１】実公平２−４７１５号公報
【考案の開示】
【考案が解決しようとする課題】
【０００７】
本考案は、上記のような事情に鑑みてなされたもので、一方のリングに設けられた隙間に他方のリングを挿入することによって双方のリングが互いに連結された状態となる手品用リングにおいて、隙間の設けられたリングを隙間の見えない完全な環状のリング形状にし、素人でも容易にリングの連結操作を行うことができるようにした手品用リングを提供することを目的とする。
【課題を解決するための手段】
【０００８】
上記の目的を達成するために、本考案の請求項１の手品用リングは、一方のリングの途中に設けられた隙間に他方のリングを挿入することによって双方のリングが連結された状態となる手品用リングにおいて、一方のリングの一部を所定間隔で切断することによって隙間を形成し、前記切断した部分を連結片として前記隙間を閉塞するように、該連結片の空洞に固着されたシリコンゴムの延長部を前記隙間の一端から空洞部に挿入して固着することにより、通常は前記連結片で前記隙間を閉じた状態に見せ、前記他方のリングを前記一方のリングの連結片に押し込むことによって開いた隙間に前記他方のリングを挿入することにより、双方のリングを連結状態とするようにしたことを特徴とする。
【０００９】
また、本考案の請求項２は、請求項１において、前記シリコンゴムは、シリコンゴム製チューブであることを特徴とする。
【考案の効果】
【００１０】
本考案による手品用リングは、一方のリングに設けられた隙間を連結片で閉塞してあるため、通常の外観は、隙間のない完全な環状を有するリングとなり、このリングと他方のリングとを組合せて観客に見せると、外観はいずれも完全な環状を有するリングの組み合せとして認識される。
【００１１】
そして、このリングの組合せのうち、一方のリングを他方のリングの連結片に押し込むことによって開いた隙間に一方のリングを挿入して連結状態とすることによって、観客には、完全な環状を有するリング同士が連結したかのように見えて、手品としての楽しみを十分に得ることができる。
【００１２】
また、本考案の構成においては、通常の状態で、連結片はシリコンゴムの弾性によって元の状態に復帰し、リングの隙間を閉塞状態にして、外見は隙間のない完全な環状のリングとして見せることができる。
【００１３】
以上のような本考案によれば、外観は完全な環状を有するリングがその隙間に設けられた連結片を他方のリングで押し込むことによって互いに連結状態となり、この連結状態で隙間を有するリングは元の完全な環状のリングに復帰するため、素人でも、容易且つ上手に手品を見せることが可能となる。
【考案を実施するための最良の形態】
【００１４】
以下、本考案の実施例について図面を参照しながら説明する。
【実施例１】
【００１５】
本考案による手品用リング１は、図１に示すように、外見は完全な環状のリングに見えるように形成されたものである。なお、このリング１は、図２に示すように、もう１個の完全な環状のリング２と組み合わせて使用するものである。
【００１６】
本考案のリングについて説明すると、組み合わせて使用される２個のリングのうち、図３に示すように、少なくとも一方のリング１の一部を所定間隔L（隙間３の幅）で切断することによって隙間３（図４(b)参照）を形成する、そして、上記の切断された部分を連結片５として、該連結片５の空洞５ａに挿入して固着されたシリコンゴム６の延長部６ａを隙間３の一端から片側の空洞部４に挿入して固着する。このような構成において、シリコンゴム６は、シリコンゴム製チューブを使用することによって、復元性に富む弾性部材としての使用が可能となる。
【００１７】
なお、隙間３の幅Ｌは他方のリング２を余裕で挿通し得る程度とする。また、シリコンゴム６を連結片５の空洞５ａに固着する場合、又はシリコンゴム６を隙間３の一端から片側の空洞部４に固着する場合、適当な接着材で固着することにより、引張力が作用した場合でも、シリコンゴム６が抜け出ることがないようにする。
【００１８】
本考案においては、図３に示すように、リング１の隙間３を閉塞する連結片５は、シリコンゴム６によってリング１の片側の空洞部４に連結されているため、通常の状態では、シリコンゴム６、特にシリコンゴム製チューブを直状に復元させる弾性によって、連結片５は隙間３を略真直ぐな状態で閉塞することができるため、すこし離れた位置から見ると、リング１は隙間のない完全な環状としての外観を有することとなる。
【００１９】
このような構成により、本実施例の手品用リングを使用するには、図４(a)に示すように、片手に持ったリング１の連結片５に他の片手に持ったリング２を当てて押し込むことにより、図４(ｂ)に示すように、連結片５はシリコンゴム６の張引力に抗して傾斜し、隙間３を生じさせる結果、この隙間３に、さらに押し込んだリング２を通過させる。そして、図４(ｃ）に示すように、他方のリング２が隙間３を完全に通過すると、シリコンゴム６に対する外力が解除される結果、連結片５はシリコンゴム６の復元性によって元の状態に復帰して隙間３を閉塞し、完全な環状のリング形状に復帰することとなる。
【００２０】
上記のように、本実施例による手品用リング１は、他方のリング２を連結しない状態においては、図１または図３に示すように、隙間３を連結片５で閉じた完全な環状のリング形状に見せることができ、図４(ｂ)に示すように、一方のリング２を他方のリング１の連結片５に押し込むことによって、図２に示すような連結状態とすることができ、外見は隙間のない完全な環状のリングが互いに連結されたかのように見せることができる。
【産業上の利用可能性】
【００２１】
本考案の手品用リングは、通常の状態では、一方のリングの隙間が連結片で閉じられた完全なリング形状に見せることができ、この一方のリングの連結片に他方のリングを押し込むだけで、双方のリングが互いに連結された状態に結合するため、素人でも、容易且つ上手に手品を見せることができる手品用リングとしての使用が可能となる。
【図面の簡単な説明】
【００２２】
【図１】本考案によるリングの外観図である。
【図２】本考案によるリングと他方のリングとを連結した状態を示す外観図である。
【図３】本考案によるリングの隙間が連結片で閉塞された状態を示す一部断面部分図である。
【図４】(a)はリングの隙間の連結片に他方のリングを当てた状態を示す一部断面部分図であり、(b)はリングの連結片を他方のリングで押し込んで隙間を生じさせた状態を示す一部断面部分図であり、（c）はリングの連結片が元の位置に復帰した状態を示す一部断面部分図である。
【図５】従来の手品用リングの組み合わせを示す外観図である。
【図６】(a)及び(b)は従来の手品用リングの使用状況を示す外観図である。
【符号の説明】
【００２３】
１…隙間を有するリング
２…完全な環状のリング
３…隙間
４…空洞部
５…連結片
５ａ…空洞
６…シリコンゴム（シリコンゴム製チューブ）
６ａ…延長部
Ｌ…隙間の幅
【図１】
0003103803.tif 000003
【図２】
0003103803.tif 000004
【図３】
0003103803.tif 000005
【図４】
0003103803.tif 000006
【図５】
0003103803.tif 000007
【図６】
0003103803.tif 000008